(57)【要約】【課題】制御基板に対する不正行為が行われにくい遊技機を提供する。【解決手段】設定錠３４を露出させるための開口４２に関し、開口４２の周縁を設定錠３４の外周縁よりも内側に位置させている。また、内ケースの内面に内方へ突出する筒状のリブ４３を設け、リブ４３内に設定錠３４を収納した状態とすることで、リブ４３により設定錠３４の周面と内ケースの表面との間を仕切っている。したがって、開口４２から不正具を差し込んでメイン制御基板３１に不正を働くといった不正行為や、内ケースや外ケースの周面を貫通させるようにして不正具をケース内に挿入し、設定錠３４に対して不正を働くといった不正行為を効果的に阻止することができ、防犯性の非常に高いパチンコ機１とすることができる。【選択図】図７
2019180978.tif 000002
【特許請求の範囲】
【請求項１】
本体ケース内に遊技に係る制御を実行する制御基板を収容してなる制御手段が設置された遊技機であって、
前記制御基板の表面に、前記制御に係る設定の変更時に操作される設定錠が搭載されている一方、
前記本体ケースの内面に、前記設定錠の周面と前記本体ケースの表面との間を仕切るリブが突設されているとともに、前記本体ケースにおける前記設定錠の先端面と対向する表面に、前記設定錠の先端面を露出させるための開口が開設されており、さらに、前記開口の周縁が、前記設定錠の先端面の周縁よりも内側に位置していることを特徴とする遊技機。
【発明の詳細な説明】
【技術分野】
【０００１】
本発明は、たとえばパチンコ機等といった遊技機に関するものである。
【背景技術】
【０００２】
従来、たとえばパチンコ機等の遊技機には、各種素子が搭載された制御基板を本体ケース内に収納してなる制御手段が設置されている。また、制御基板に、遊技に係る設定（たとえば所謂大当たり確率等）の変更を許可／禁止するための設定錠が設けられることもある（たとえば特許文献１）。そして、設定錠に対応する設定キーを差し込んで解錠操作することで、遊技に係る設定の変更が許可されるようになっている。なお、設定キーを施錠操作して設定錠から抜き取れば、遊技に係る設定の変更は禁止されることになる。
【０００３】
上記設定錠を利用した遊技に係る設定の変更は、所謂遊技ホール等で行われる。しかしながら、一般的に遊技ホール等において制御手段の本体ケースを開放することはない。つまり、本体ケース外から設定錠へ設定キーを差し込む必要があるため、本体ケースには設定錠を露出するための開口が設けられている。
【先行技術文献】
【特許文献】
【０００４】
【特許文献１】特開２０１７−４２６６２号公報
【発明の概要】
【発明が解決しようとする課題】
【０００５】
しかしながら、本体ケースに設定錠を露出するための開口が設けられていると、防犯性が低下する、すなわち開口を介して制御基板に対する不正行為が行われやすいという問題が生じる。
【０００６】
そこで、本発明は、上記問題に鑑みなされたものであって、制御基板に対する不正行為が行われにくい遊技機を提供しようとするものである。
【課題を解決するための手段】
【０００７】
上記目的を達成するために、本発明は、本体ケース内に遊技に係る制御を実行する制御基板を収容してなる制御手段が設置された遊技機であって、前記制御基板の表面に、前記制御に係る設定の変更時に操作される設定錠が搭載されている一方、前記本体ケースの内面に、前記設定錠の周面と前記本体ケースの表面との間を仕切るリブが突設されているとともに、前記本体ケースにおける前記設定錠の先端面と対向する表面に、前記設定錠の先端面を露出させるための開口が開設されており、さらに、前記開口の周縁が、前記設定錠の先端面の周縁よりも内側に位置していることを特徴とする。
【発明の効果】
【０００８】
本発明によれば、本体ケースの表面で、制御基板上に搭載された設定錠の先端面と対向する箇所に、設定錠の先端面を露出させるための開口を開設しているものの、開口の周縁を、設定錠の先端面の周縁よりも内側に位置させている。したがって、開口から不正具を差し込んで制御基板に不正を働くといった不正行為が行われにくく、防犯性の高い遊技機とすることができる。
また、本体ケースの内面に、設定錠の周面と本体ケースの表面との間を仕切るリブが突設されている。したがって、本体ケースの周面を貫通させるようにして不正具を挿入し、設定錠に対して不正を働くといった不正行為も効果的に阻止することができ、防犯性の非常に高い遊技機とすることができる。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】メイン制御装置を後側から示した斜視説明図である。
【図５】分解状態にあるメイン制御装置を後側から示した斜視説明図である。
【図６】分解状態にあるメイン制御装置を前側から示した斜視説明図である。
【図７】設定錠及び開口部部分でのメイン制御装置の水平断面を示した説明図である。
【図８】設定錠及び開口部部分でのメイン制御装置の鉛直断面を示した説明図である。
【発明を実施するための形態】
【００１０】
以下、本発明の一実施形態となるパチンコ機について、図面にもとづき詳細に説明する。
【００１１】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物等を備えたセンター部材２６が遊技盤２に設置されており、該センター部材２６の下方には、遊技球が入賞可能で、当該入賞を契機として演出用表示部６及び特別図柄表示部８３で各種図柄が変動を開始する図柄始動口１９と、開閉可能な扉部材を有する大入賞装置１７とが設けられている。また、センター部材２６の左方から下方にかけては、遊技球が流下可能な左打ち用スペースＳＬが形成されており、左打ち用スペースＳＬを流下させることで、効率良く図柄始動口１９へ入賞させ得るようになっている。
【００１３】
一方、センター部材２６の右方にも遊技球が流下可能な右打ち用スペースＳＲが形成されている。また、該右打ち用スペースＳＲには、入賞口（図示せず）と、入賞口を開閉する可動体（図示せず）とを有しており、可動体が開状態にあると遊技球が入賞口へ入賞可能となる可動入賞装置２０が設置されている。そして、遊技球を左打ち用スペースＳＬではなく右打ち用スペースＳＲを流下させることで、可動入賞装置２０へ入賞させることができる。なお、左打ち用スペースＳＬや右打ち用スペースＳＲには、多数の遊技釘（図示せず）が植設されている。また、大入賞装置１７については、左打ち用スペースＳＬと右打ち用スペースＳＲとの何れを流下させたとしても効率良く入賞し得るようになっている。さらに、遊技領域１６外となる遊技盤２の右下部には、第１特別図柄及び第２特別図柄を夫々別個に表示可能とした特別図柄表示部８３が設けられている。
【００１４】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置３０（図４に示す）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及びメイン制御装置３０による制御のもと表示制御装置や音制御装置等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技者はハンドル９を回動操作して発射装置１０を作動させ、発射通路１３を介して遊技球を遊技領域１６内へ打ち込み、まずは左打ち用スペースＳＬへ流下させて（所謂左打ちを行って）、図柄始動口１９への遊技球の入賞を狙う。そして、図柄始動口１９への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７、７」と確定表示される）。また、「大当たり図柄」が確定表示されると、大入賞装置１７を所定回数にわたって断続的に開成させるといった所謂「大当たり状態」が生起する。そこで、遊技者は左打ちを継続し、断続的に開成する大入賞装置１７への遊技球の入賞を狙う。なお、図柄始動口１９へ遊技球が入賞した場合、特別図柄表示部８３では第１特別図柄を変動／確定表示させる。
【００１７】
また、大当たり状態が終了すると、第１特別図柄及び第２特別図柄の合計の確定表示回数が所定回数に達するまで、可動入賞装置２０が頻繁に開動作して遊技球の入賞を可能とする所謂時短状態が生起する。そこで、遊技者は、遊技球を右打ち用スペースＳＲへ打ち込んで流下させる所謂右打ちを行い、可動入賞装置２０への遊技球の入賞を狙う。そして、可動入賞装置２０へ遊技球が入賞すると、上記図柄始動口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示される。また、「大当たり図柄」の確定表示後は、上記同様に大入賞装置１７が所定回数にわたって断続的に開成する「大当たり状態」が生起するため、遊技者は右打ちを継続し、断続的に開成する大入賞装置１７への遊技球の入賞を狙う。なお、可動入賞装置２０へ遊技球が入賞した場合、特別図柄表示部８３では第２特別図柄を変動／確定表示させる。
一方、「大当たり状態」が生起することなく、第１特別図柄及び第２特別図柄の合計の確定表示回数が所定回数に達して時短状態が終了すると、右打ちを止めて左打ちを行う上記遊技へと戻る。
【００１８】
（メイン制御装置の説明）
以下、本発明の要部となるメイン制御装置３０における不正防止に係る構造について、図４〜図８にもとづき詳細に説明する。
図４は、メイン制御装置３０を後側から示した斜視説明図である。図５は、分解状態にあるメイン制御装置３０を後側から示した斜視説明図である。図６は、分解状態にあるメイン制御装置３０を前側から示した斜視説明図である。図７は、設定錠３４及び開口部４１部分でのメイン制御装置３０の水平断面を示した説明図である。図８は、設定錠３４及び開口部４１部分でのメイン制御装置３０の鉛直断面を示した説明図である。
【００１９】
メイン制御装置３０は、メイン制御基板３１と、メイン制御基板３１を収容する内ケース（本体ケース）と、内ケースを収容する外ケースとからなる。メイン制御基板３１は、大当たり抽選を始めとした種々の遊技に係る制御を実行するものであって、その後面には、ＣＰＵやＲＯＭ、ＲＡＭ等の種々の制御素子に加え、遊技に係る設定（大当たり抽選における当選確率等）の変更時に操作される設定錠３４が搭載されている。また、メイン制御基板３１の四隅には、内ケース内に固定するための挿通孔３５、３５・・が穿設されている。なお、遊技に係る設定の変更は、所定のボタン（たとえばＲＡＭクリアボタン）を操作して所望の設定を選択した状態で、設定キーにより設定錠３４を操作すると、メイン制御基板３１における設定が選択されている設定へ変更されるといった態様で行われる。
【００２０】
内ケースは、メイン制御基板３１の前方を覆う前ケース部材３６と、メイン制御基板３１の後方を覆う後ケース部材３７とからなる。前ケース部材３６は、メイン制御基板３１よりも一回り大きく、且つ、後ケース部材３７の前面開口内に嵌まり込み可能な正面視略矩形の板体であり、四隅には、メイン制御基板３１を固定しつつ、後ケース部材３７の前面側にネジ止めするためのネジ孔３８、３８・・が設けられている。一方、後ケース部材３７は、制御素子等を収容可能とすべく略中央に後方へ膨出する膨出部３７ａが設けられ、前面が開口した箱状体に成形されている。そして、後ケース部材３７の内面（前面）四隅には、前ケース部材３６をネジ止めするためのネジ止め部３９、３９・・が設けられている。また、後ケース部材３７の上部の左右両端には、後述するベース部材４４へネジ止めするためのネジ孔を有する固定片４０、４０が突設されている。さらに、後ケース部材３７の膨出部３７ａには、設定錠３４を露出するための開口部４１が開設されている。
【００２１】
開口部４１は、膨出部３７ａの表面に開設された円形の開口４２と、後ケース部材３７の内面に設けられた筒状のリブ４３とを備えてなる。リブ４３は、後ケース部材３７の内面から前方へ突出する筒状部で、円筒状の後段部と角筒状の前段部とを一連に有しており、当該リブ４３で囲まれる空間内に設定錠３４を収納可能となっている。一方、開口４２は、設定錠３４の後面の形状に合わせて円孔とされ、膨出部３７ａの表面でリブ４３に囲まれた位置に開設されている。また、開口４２の径は、設定錠３４の径よりも小径とされており、開口４２の周縁と設定錠３４の外周縁とが前後方向で重なる（開口４２の周縁が設定錠３４の外周縁よりも内側に位置する）ようになっている（図７及び図８に示す）。すなわち、設定錠３４の後部において、設定錠３４の外周面とリブ４３の内周面との間の隙間が開口４２の周縁により覆われるようになっている。なお、リブ４３の後側への突出量は、内ケース内にメイン制御基板３１を収容した際、リブ４３の後端が基板後面に近接する（ただし接触はしない）ような突出量となっている。
【００２２】
外ケースは、後方に開口し、開口内の空間に内ケースを収納可能とされたベース部材４４と、ベース部材４４への組み付けに伴い、収納されている内ケースの後側を覆うカバー部材４５とからなる。ベース部材４４とカバー部材４５との左右両側には、両部材をかしめ部材（たとえばワンウェイタイプのビス等）により一体化するためのかしめ部が設けられている。また、カバー部材４５には、開口４２よりも大きな切り欠き４７が設けられており、ベース部材４４への組み付けに伴い、切り欠き４７内に開口４２が露出するようになっている。
【００２３】
以上のように構成されるメイン制御装置３０の組み立てについて説明すると、まず前ケース部材３６を、その後側にメイン制御基板３１を介在させた状態で、後ケース部材３７へネジ止めすることによって、内ケースを組み立てる。このとき、メイン制御基板３１も、前ケース部材３６と後ケース部材３７とを一体化するネジにより、内ケースの内部に固定されることになる。次に、内ケースをベース部材４４へネジ止めして、内ケースの前面をベース部材４４により覆った後、ベース部材４４の上方からカバー部材４５を下方へスライドさせて、内ケースの後面が略覆われるようにカバー部材４５を組み付け、その状態のままベース部材４４とカバー部材４５とをかしめ部材により一体化すればよい。すると、メイン制御基板３１が、内ケースと外ケースとにより二重に覆われ、且つ、設定錠３４のみが開口４２及び切り欠き４７を介してケース外に露出した状態で収容されることになる。
【００２４】
（本実施形態のパチンコ機による効果）
以上のような構成を有するパチンコ機１によれば、設定錠３４を露出させるための開口４２に関し、開口４２の周縁を設定錠３４の外周縁よりも内側に位置させている。また、内ケースの内面に内方へ突出する筒状のリブ４３を設け、リブ４３内に設定錠３４を収納した状態とすることで、リブ４３により設定錠３４の周面と内ケースの表面との間を仕切っている。したがって、開口４２から不正具を差し込んでメイン制御基板３１に不正を働くといった不正行為や、内ケースや外ケースの周面を貫通させるようにして不正具をケース内に挿入し、設定錠３４に対して不正を働くといった不正行為を効果的に阻止することができ、防犯性の非常に高いパチンコ機１とすることができる。
【００２５】
（本発明の変更例について）
なお、本発明の遊技機に係る構成は、上記実施形態に何ら限定されるものではなく、遊技機全体の構成は勿論、制御手段の防犯性の向上に係る構成等についても、本発明の趣旨を逸脱しない範囲で必要に応じて適宜変更可能である。
【００２６】
たとえば、上記実施形態では、制御基板の後面に設定錠を搭載しているが、制御基板の前面に設定錠を搭載してもよく、その際には本体ケースの前面に開口が設けられることになる。そして、そのような制御手段を遊技機に設置するに際しては、たとえば左右何れかへ片開き可能に組み付ける等することで対応することができる。
【００２７】
また、上記実施形態では、本体ケースとなる内ケースを単層構造としているが、本体ケース自体を二層構造のケースとして構成することも可能であるし、単層構造のケース内に仕切板を設けたもの（たとえば制御基板の前面と後面との何れか一方側のみを二層とする等）を本体ケースとして採用しても何ら問題はない。
【００２８】
さらに、本体ケース内にリブを設ける構成についても、上記実施形態では筒状のリブを設けるとしているが、そのような一連のものではなく、上下左右を夫々仕切る４つのリブを設けるとしてもよく、リブの数については適宜設計変更可能である。また、たとえば設定錠が本体ケース内の左寄りにある場合には、設定錠の左側にのみ上下方向へ延びる直線状のリブを設ける等してもよく、どのようなリブを設定錠に対してどこに設けるかについても適宜設計変更可能である。
【００２９】
さらにまた、上記実施形態ではメイン制御装置について説明しているが、本発明は、メイン制御装置に何ら限定されるものではなく、たとえばサブ制御装置内に設置されるサブ制御基板に設定錠を搭載する場合には、サブ制御装置に関しても好適に採用することができる。
またさらに、遊技に係る設定の変更に際して設定錠をどのように操作するかは実施形態に記載の態様に何ら限定されることはなく、操作するタイミング（たとえばボタン操作の前に操作する）や操作回数（たとえばボタン操作の前後で２回操作する）等、適宜変更可能である。
【００３０】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、本体ケース、制御基板、制御手段、リブ等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。例えば、「制御手段」は、ハード単体でも、ソフトを含んだものであっても構わない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３１】
１・・パチンコ機（遊技機）、３０・・メイン制御装置（制御手段）、３１・・メイン制御基板（制御基板）、３４・・設定錠、３６・・前ケース部材（本体ケース）、３７・・後ケース部材（本体ケース）、４１・・開口部、４２・・開口、４３・・リブ、４４・・ベース部材、４５・・カバー部材。
【図１】
2019180978.tif 000003
【図２】
2019180978.tif 000004
【図３】
2019180978.tif 000005
【図４】
2019180978.tif 000006
【図５】
2019180978.tif 000007
【図６】
2019180978.tif 000008
【図７】
2019180978.tif 000009
【図８】
2019180978.tif 000010